(57)【要約】【課題】二重パイル織物を織成する利点を生かし、かつパイル織物の裏面にガーゼ風合いの平織物の特性を併有するパイル平織物及びその製造方法を得ることである。【解決手段】二重織物Ｘ、Ｙの連続する地緯糸を平織緯糸●１本にパイル地緯糸○２本の組合わせを繰り返すように配列して１、２、３・・・の地緯糸列をなし、織物Ｘ、Ｙの外側へ地緯糸５、１１、１６、１７に絡む平織経糸Ｖ1 を織成し、かつ内側へはＸ織物では地緯糸３、６、９、１２、・・・に、Ｙ織物では１、４、７、１０・・・にそれぞれ絡むパイル地経糸Ｗ1 を織成し、さらに奇数筬目ではパイル経糸Ｐ1 をＸ織物のパイル地緯糸１、４、・・・１０、１３で絡ませ、Ｙ織物のパイル地緯糸６、９、・・・、１５、１８で絡ませるようにして両織物Ｘ、Ｙ間に渡し、偶数筬目では平織経糸Ｖ2 はＸ、Ｙ織物の２、８、１４、１５の地緯糸に、パイル地経糸Ｗ2 とパイル経糸Ｐ2 は奇数筬目と対称とし、織成後両織物間を切開して２枚のパイル平織物を形成するようにしたものである。【選択図】図１
2005232602.tif 000002
【特許請求の範囲】
【請求項１】
パイル糸を緯糸に交錯させて対向する２枚のパイル織物Ｘ、Ｙを連結した二重織物の連結パイル糸を切開して形成する二重パイル織物の製造方法において、各パイル織物Ｘ、Ｙの地緯糸をパイル地緯糸複数本毎に１本の平織緯糸を置いたピッチで繰返し配列し、この緯糸交互配列に対しパイル地経糸を両織物Ｘ、Ｙのそれぞれでパイル地緯糸の１つ置きに交互に内から外に廻り込んで絡むように繰返し配列し、平織経糸を両織物の外側で平織緯糸の各１本置きに内側を通り絡むように配列し、パイル経糸は所定の複数本のパイル地緯糸毎に内から外へ廻り、かつ所定の複数本のパイル地緯糸毎に両織物Ｘ、Ｙ間に渡してパイル平織物を二重に織成し、その後パイル経糸を両織物Ｘ、Ｙ間で切断して切開し、２枚のパイル平織物を形成することを特徴とするパイル平織物の製造方法。
【請求項２】
前記パイル経糸の配列を奇数筬目の二重パイル平織物の断面組織に対し偶数筬目では対称に配置したことを特徴とする請求項１に記載のパイル平織物の製造方法。
【請求項３】
前記外側の平織経糸を平織緯糸に絡ませる所定の複数箇所毎に平織緯糸と共にパイル地緯糸にも外側から内側に絡ませるようにしたことを特徴とする請求項１又は２に記載のパイル平織物の製造方法。
【請求項４】
前記パイル地経糸をパイル地緯糸に絡ませる所定の複数箇所毎に平織緯糸にも絡ませるようにしたことを特徴とする請求項１又は２に記載のパイル平織物の製造方法。
【請求項５】
対向する２枚のパイル織物Ｘ、Ｙのパイル地緯糸２本と平織緯糸を含む地緯糸の繰返し配列に対して複数本のパイル経糸を、各パイル経糸は所定の複数本の地緯糸毎に両織物Ｘ、Ｙ間に渡して隣接して織込まれる各２本ずつを互いに対称に配列し、各パイル経糸は一方の織物の２本の緯糸の内側と１本の緯糸の外側を交互に廻り、他方の織物ではこれと対称な配列に、かつ一方と他方の織物で交互に繰り返して織込み、隣接するパイル経糸は上記パイル経糸と対称な配列とし、両織物Ｘ、Ｙの上記地緯糸の繰返し配列の外側に平織経糸を平織緯糸の１本置きに内側に絡むように繰り返して織込み、この平織緯糸に絡む複数箇所毎に平織経糸をパイル地緯糸にも内側に絡むように繰返して織込み、形成された両織物Ｘ、Ｙのパイル経糸を両織物間で切断して切開し織物として形成されるパイル平織物。
【請求項６】
前記平織緯糸に絡む複数箇所毎に平織経糸をパイル地緯糸にも内側に絡むように繰返して織込むのに代えて、パイル地経糸を平織緯糸にその所定の複数本毎に内側から外側に絡むように繰返して織込んだことを特徴とする請求項５に記載のパイル平織物。
【発明の詳細な説明】
【技術分野】
【０００１】
本発明は、二重パイル織物を織成する利点を生かし、かつパイル織物の裏面にガーゼ風合いの平織物の特性を併有するパイル平織物及びその製造方法に関する。
【背景技術】
【０００２】
各種の衣料や寝装用具の生地として提供される織物には、経糸と緯糸の交差した平織物、経糸と緯糸が交差すると共に立体的なパイル糸がループ状になったタオル織物、同じくパイル糸がカットされたパイル織物等が存在する。それぞれの織物は様々な糸種の組合わせにより人体に対して吸湿性や保温性を高める等色々な機能・特性を有しており、用途によって使い分けられる。特に吸湿性を有する平織物と保温性を有するパイル織物とはそれぞれ特徴のある織り組織であるが、用途、嗜好性、機能性へのニーズから両者の長所を併有する織物及びその製法が所望されている。
【０００３】
一例として、特許文献１の「裏ガーゼ二重又は多重織物」は、表面層が適宜な織り組織、裏面層がガーゼから成り、裏面層のガーゼに起毛処理を施した二重又は多重織物である。この織物は、ガーゼの持つ通気性と吸湿性の特性に加えて裏面層のガーゼに起毛処理をして風合いの良さを付与し、用途の一層の多様化を図ることをねらいとしたものである。表面層の織り組織としては、一般的な平織組織、綾織組織、朱子織組織やワッフル、タオル、毛布等が用いられる。
【０００４】
特許文献２の「二重織物」は、表織物と裏織物とを所要位置の接結点で一体化し、上記表織物を構成する表緯糸と、裏織物を構成する裏緯糸との糸の太さに差をもたせた二重織物である。この二重織物は、表織物と裏織物の組織、糸の太さ、材質等を同一とした場合、両面毛布としては適するが他の用途の使用範囲が少なく多様性に欠けるため、接結二重織物の糸の太さに差を持たせることにより用途の拡大を図ったものである。
【０００５】
さらに、特許文献３の「裏ガーゼ付綿毛布」は、綿毛布生地を織る地糸用縦糸４本と起毛用横糸４本で製織し、かつガーゼ用横糸を起毛用横糸４本に対し２本の割合としてガーゼ用横糸４本とガーゼ用縦糸２本で裏ガーゼを製織し、地糸用縦糸の１本をガーゼ用横糸の１本に絡ませて裏ガーゼを綿毛布に止めて織ったものである。この裏ガーゼ付綿毛布は、綿毛布と裏ガーゼとを二重織りにして通気性、吸湿性のよい製品を得ようというものであるが、綿毛布の横糸を起毛の際に生じる縮みで裏ガーゼにたるみが起きるのを上記構成により防止した裏ガーゼ付綿毛布と記載されている。
【０００６】
しかし、上記特許文献１の多重織物は、表面層は特許文献２でワッフルと称される綿毛布等であり、裏面層には吸湿性の高いガーゼを重ねた二重又は三重の織物であるが、この多重織物は特に裏面のガーゼに起毛処理を施して「裏ガーゼ二重又は多重織物」の裏ガーゼに風合いを与えることによりこの多重織物の用途の一層の多様化を図り、広く利用されるようにしたものであって、あくまで裏ガーゼの手触り、肌触りの感触をよくすることをねらったものであるに過ぎず、パイル織物の保温性とガーゼ裏面層の吸湿性を併有することを目的としたものではない。
【０００７】
特許文献２の二重織物は、表裏両面に起毛を施した両面毛布のような表裏２枚の織物を適当な規則で配置した接結点で一体化した接結二重織物であるが、表裏両織物の組織、糸の太さ、材質を同一としたものでは、他の用途の使用範囲が狭く、多様性に欠けるため、表裏の織物の糸の太さに差を持たせ、裏織物は接結点の割合いを少なくしてガーゼ状の風合いを持つ二重織物としただけであり、パイル織物ではなく、裏織物をガーゼ状とした通常の毛布というに過ぎない。
【０００８】
特許文献３の裏ガーゼ付綿毛布も、綿毛布に裏ガーゼを二重に織成したというものであり、所定の結節点で地糸用縦糸をガーゼ用横糸に絡ませて地糸用横糸の起毛による縮みを生じないようにしたというだけであり、これもパイル織物ではなく、裏ガーゼを重ねる際に起毛による縮みを防止した綿毛布であって、パイル織物としての利点は得られない。
【特許文献１】特開２００３−３０６８４６号公報
【特許文献２】特開平１０−１５８９５１号公報
【特許文献３】特開平１０−１１７９０９号公報
【発明の開示】
【発明が解決しようとする課題】
【０００９】
この発明は、上記の問題に留意して、二重パイル織物を織成する利点を生かし、かつパイル織物の裏面にガーゼ風合いの平織物の特性を併有するパイル平織物及びその製造方法を提供することを課題とする。
【課題を解決するための手段】
【００１０】
この発明は、上記の課題を解決する手段として、パイル糸を緯糸に交錯させて対向する２枚のパイル織物Ｘ、Ｙを連結した二重織物の連結パイル糸を切開して形成する二重パイル織物の製造方法において、各パイル織物Ｘ、Ｙの地緯糸をパイル地緯糸複数本毎に１本の平織緯糸を置いたピッチで繰返し配列し、この緯糸交互配列に対しパイル地経糸を両織物Ｘ、Ｙのそれぞれでパイル地緯糸の１つ置きに交互に内から外に廻り込んで絡むように繰返し配列し、平織経糸を両織物の外側で平織緯糸の各１本置きに内側を通り絡むように配列し、パイル経糸は所定の複数本のパイル地緯糸毎に内から外へ廻り、かつ所定の複数本のパイル地緯糸毎に両織物Ｘ、Ｙ間に渡してパイル平織物を二重に織成し、その後パイル経糸を両織物Ｘ、Ｙ間で切断して切開し、２枚のパイル平織物を形成することを特徴とするパイル平織物の製造方法としたのである。
【００１１】
上記の方法によって製造されるパイル平織物として、対向する２枚のパイル織物Ｘ、Ｙのパイル地緯糸２本と平織緯糸を含む地緯糸の繰返し配列に対して複数本のパイル経糸を、各パイル経糸は所定の複数本の地緯糸毎に両織物Ｘ、Ｙ間に渡して隣接して織込まれる各２本ずつを互いに対称に配列し、各パイル経糸は一方の織物の２本の緯糸の内側と１本の緯糸の外側を交互に廻り、他方の織物ではこれと対称な配列に、かつ一方と他方の織物で交互に繰り返して織込み、隣接するパイル経糸は上記パイル経糸と対称な配列とし、両織物Ｘ、Ｙの上記地緯糸の繰返し配列の外側に平織経糸を平織緯糸の１本置きに内側に絡むように繰り返して織込み、この平織緯糸に絡む複数箇所毎に平織経糸をパイル地緯糸にも内側に絡むように繰返して織込み、形成された両織物Ｘ、Ｙのパイル経糸を両織物間で切断して切開し織物として形成されるパイル平織物とすることができる。
【００１２】
上記方法によって製造されるパイル平織物は、表面にパイル織物層、裏面にガーゼ風合いの平織物層が二重に一体に織成され、かつ二重織物として形成される織物間でパイル経糸を切開することにより同時に同じ織物層組織の２枚のパイル平織物が得られる。表面のパイル織物層は保温性を有し、かつパイル立毛の毛先をばらばらに分毛することにより手触り、肌触りの感触がよく、立毛であるため毛玉となり難く、立毛の深さは両織物のパイル経糸を両織物間に交互に渡す際の両織物間の間隔を適宜距離に設定することにより長くも短くも種々に自由に形成できる。
【００１３】
このパイル平織物の裏面にはガーゼ風合いの平織物層が所定の間隔で、パイル織物層のパイル地緯糸に平織物層の平織経糸を絡ませるか、又はパイル地経糸に平織物層の平織緯糸を絡ませるかによってパイル織物層に一体に織成されている。このため、パイル織物であっても使用時には裏面のガーゼ風合いの平織物が肌に当接するから手触り、肌触りが良く、吸湿性、通気性があり、パイル織物層の厚みを薄くすればたとえ夏期であっても使用でき、パイル織物層の深さを種々に設定したものを用意すれば、全ての季節を通じて利用できることとなる。
【発明の効果】
【００１４】
この発明のパイル平織物は、表面層にパイル織部、裏面層にガーゼ風合いの平織部を重ねて一体に織成したから、パイル表面のパイル立毛は毛玉となり難く、厚みの深い織物とすることによりボリューム感のあるものが得られ、立毛は倒れ難いため品質劣化が生じ難く、パイル立毛の先端を分毛することにより手触り、肌触りの良い高級感のある毛布又はこれに類する生地として利用できるパイル平織物が得られ、その製造では同時に２枚ずつ高効率に得られるという製造方法が提供されるという画期的な製品および製造方法である。
【発明を実施するための最良の形態】
【００１５】
以下、この発明の実施の形態について図面を参照して説明する。図１は第１実施形態の２枚のパイル平織物の織成初期から織成完了までの大まかな織成工程及びパイル平織物断面を示す。（ａ）図はパイル地緯糸（○印で示す）と平織緯糸（●印で示す）の機械的配置断面図（１リピート分の断面）、（ａ’）は実際に織成された後パイル生地からガーゼが分離された状態での断面、（ａ”）は２枚の織物Ｘ、Ｙを切開した後のそれぞれの織物Ｘ、Ｙの断面図をそれぞれ示す。又、（ａ）〜（ａ”）の系は奇数筬目にパイル経糸Ｐ1 を配置し、（ｂ）〜（ｂ”）の系は（ａ）〜（ａ”）の系と全く対称にかつ偶数筬目にパイル経糸Ｐ2 を配置した例を示している。
【００１６】
図示のように、図１の（ａ）図では緯糸（○、●印両方を含む）を配置する際に、奇数筬目で平織緯糸●１本に対しパイル地緯糸○２本の繰返し配列を織物Ｘ、Ｙについて全く同じに置き、かつパイル地緯糸○の１８までを１リピート長さとし、平織経糸Ｖ1 、Ｖ1 は各平織緯糸●の１つ置きに外から内側を廻るように絡ませ、かつ織物Ｘではパイル地緯糸○の１６を含んで絡ませ、織物Ｙではパイル地緯糸○の１２を含んで絡ませ、パイル地経糸Ｗ1 、Ｗ1 は、図２の（ａ）図に示すように、パイル経糸Ｐ1 に対してその両側に沿って設けられ、奇数筬目の対称配列のパイル地緯糸○のうち、Ｘ織物では３、６、９・・・番目等３の整数倍列の緯糸○に、Ｙ織物では１、４、７、１０・・・の３つずつ増加する位置の緯糸○にそれぞれ内側から外側へ廻るように絡ませてこれを繰返し配列し、２枚の織物Ｘ、Ｙのそれぞれの対向する側を内側と見たとき、パイル織地組織が内側に、平織地組織が外側となるように２枚の織物Ｘ、Ｙのそれぞれで上記２つの組織が一体に重ねて織成される。
【００１７】
上記のパイル織地組織と平織地組織を含む織物Ｘ、Ｙに対し、パイル経糸Ｐ1 は織物Ｘの地緯糸１〜４（○、●を含む）に対して１では外側へ、２、３では内側を通り、４では外から内側へ廻り込んだ後もう一方の織物Ｙへ渡され、織物Ｙの地緯糸５〜９（○、●を含む）に対して５、６の間に渡されたパイル経糸Ｐ1 を６で外側へ、７、８では内側を通り、９では外側から内側へ廻り込んだ後一方の織物Ｘへ渡され、その後地緯糸１０〜１３に対し織物Ｘで地緯糸１〜４と全く同じ繰返し配列、地緯糸１５〜１８に対し織物Ｙで地緯糸５〜９と全く同じ繰返し配列で１リピート分の織物Ｘ、Ｙが形成され、その後複数リピート分の組織で織物Ｘ、Ｙが形成される。
【００１８】
図１の（ｂ）図に示すように、偶数筬目では、平織緯糸●とパイル地緯糸○の配列、パイル地経糸Ｗ1 とパイル経糸Ｐ1 の配列は奇数筬目と全く対称に形成され、かつ平織経糸Ｖ2 のみが平織緯糸●の２、８、１４、・・・の偶数番目で内側に絡むように形成されている点が異なる。従って、ほぼ対称な地組織が奇数筬目と偶数筬目で互いに隣接して交互に形成されている。なお、後述するように筬目は緯糸を互いに接近圧縮させる筬羽が当てられる位置であり、この筬目を挟んで一対のパイル地経糸Ｗ1 、Ｗ2 のそれぞれが織成されることによりパイル経糸Ｐ1 、Ｐ2 を挟み、パイル経糸Ｐ1 、Ｐ2 が抜けないように形成されている。
【００１９】
（ａ’）、（ｂ’）の各図は、（ａ）、（ｂ）図の基本的な配置、構成の組織を実際に織成した際にパイル地組織と平織地組織の間には記号Ｋで示す位置で平織経糸Ｖ1 、Ｖ2 がパイル地組織に絡む（交差する）ようになっている以外は、互いに拘束する組織ではないため、自然と図示のように分離された状態の実際の織成断面を示している。そして、上記２枚の織物Ｘ、Ｙに対し矢印で示す方向にナイフを入れパイル経糸Ｐ1 、Ｐ2 を切断し、織物Ｘ、Ｙが向い合う内側面にパイル面が形成され、外側面に平織物が互いの地組織が接して一体となった状態で形成される。
【００２０】
形成された２枚の織物Ｘ、Ｙは、対向する状態で示した（ａ”）、（ｂ”）図中では対称に見えるが、実際には位置をずらして両者を同じように平織部を裏面、パイル織部を表面と見れば同一織物である。なお、平織部の糸はパイル織部より細く、かつ緯糸、経糸共に荒いピッチで織られるためガーゼ風の組織として形成される。
【００２１】
図２に上記組織のパイル平織物の上面のパイル面を部分的に拡大した斜視図、図３に裏面の平織部（ガーゼ風）を上にして部分的に拡大した斜視図を示す。図示のように、切開された２枚のパイル平織物の一方Ｘは、奇数筬目の位置にパイル経糸Ｐ1 がパイル地緯糸○の１、３、４に絡んで両端が立毛（パイル）し、パイル地緯糸○の６、７、９には絡まず、次のパイル地緯糸○の１０、１２、１３に絡んで両端が立毛する、というように３本のパイル地緯糸○毎にパイル経糸Ｐ1 が絡み、次のパイル地緯糸○３本を置いてさらに次の３本のパイル地緯糸○にパイル経糸Ｐ1 が絡むというパターンの繰返しでパイル経糸Ｐ1 は織込まれる。このとき、パイル経糸Ｐ1 は両側に沿ってパイル地経糸Ｗ1 、Ｗ1 の一対が平行して編込まれる。
【００２２】
偶数筬目の位置にはパイル経糸Ｐ2 が上記と同様に、但しパイル地緯糸○の６、７、９、１５、１６、１８というようにパイル経糸Ｐ1 が絡んでいない位置のパイル地緯糸○に３本ずつ絡んで編込まれている。この場合も、パイル地経糸Ｗ2 、Ｗ2 の一対が平行に設けられていることは、パイル経糸Ｐ1 と同様である。そして、上記奇数筬目と偶数筬目に交互にパイル経糸Ｐ1 とＰ2 が幅方向に並んで設けられ、一定幅のパイル平織物が形成される。このようにして同時に織成された２枚のパイル平織物Ｘ、Ｙでは、２枚の織物Ｘ、Ｙは異なるように見えるが、パイル経糸Ｐ1 、Ｐ2 とパイル地緯糸○、平織緯糸●との絡む位置が異なるだけであって実際には全く同一のものが同時に織成される。
【００２３】
又、図２ではパイル表面のみを示しているが、図３に示すように裏面にはガーゼ状の風合いの平織物が一体に織成されており、立毛処理のためにガーゼ状の平織物が収縮することはなく、肌触りのよい平織物であり、吸湿性の良い糸を用いることによりガーゼ特有の高吸湿機能が付与される。
【００２４】
なお、図２の（ｂ）図は上述したパイル経糸Ｐ1 とＰ2 が交互に立毛している状態を同一立面上に並べて示したものである。さらに、図２の（ｃ）図に示すように、パイル経糸Ｐ1 、Ｐ2 、Ｐ1 、Ｐ2 ・・・の各立毛の先端は手触り、風合いの良さ、保温性を向上させるため先端がばらばらにほぐされた分毛状態にされる。上述立毛、分毛と一般に起毛と呼ばれる状態は、それぞれ図４のように大きく異なる。図４の（ａ）図に示す立毛はパイル経糸が地組織から立上る状態、（ｂ）図に示す分毛はその立毛の先端をばらばらに分毛した状態であるのに対し、（ｃ）図の起毛は織物組織の糸素材の表面をその繊維素の単位にばらばらにして毛羽立たせることである。
【００２５】
以上の起毛、立毛、分毛の相違から分るように、従来の表面層を毛布、裏面層をガーゼとした裏ガーゼ付き平織物の毛布は、毛布の組織を形成する糸の表面を起毛させて毛羽立たせたり、裏ガーゼに起毛処理を施したに過ぎないものであり、毛布の起毛深さは浅く、起毛された毛羽立ち素材は倒れ易く、毛玉になり易く、保温性には一定の限界があり、裏ガーゼに起毛処理をしても、手触り、肌触りはよいが、その吸湿性、通風性はガーゼの有する元来の特性に過ぎない。
【００２６】
これに対し、上記構成のこの実施形態のパイル平織物は、パイル経糸Ｐ1 、Ｐ2 の切開された際に残るパイル立上り深さを、予め使用目的に合せて深く、あるいは浅くいずれにも形成でき、深いパイル平織物はパイル先端を分毛することにより従来の毛布の毛羽立ちより一層手触り、肌触り等の感覚がソフトで、かつ深い毛であるため、毛が倒れることによる品質の劣化が生じ難く、従って品質保持が長期に維持され、又ボリューム感、保温性、風合いが一段と高く、裏面にはガーゼ風合いの平織部が一体に織成されているため、吸湿性は勿論、肌触りが良好である。このため、従来の毛布、パイル織物、両面パイル織物は夏季には使用が敬遠がちであったが、この実施形態のパイル平織物は敬遠されることがなく、一年を通じてどの季節でも利用できるという画期的な特性が付与されることとなる。
【００２７】
図５に、図１と同様に、第２実施形態のパイル平織物の織成初期から織成完了までの大まかな織成工程及びパイル平織物の断面を示す。図１の（ａ）〜（ａ”）、（ｂ）〜（ｂ”）と同じ状態を（ａ）〜（ａ”）、（ｂ）〜（ｂ”）図は示す。図示のように（ａ）図では緯糸（○、●）の配置、平織経糸Ｖ1 、Ｖ2 、パイル地経糸Ｗ1 、Ｗ2 、パイル経糸Ｐ1 、Ｐ2 の配置、織成は一部を除き殆ど同じであるが、平織経糸Ｖ1 、Ｖ2 及びパイル地経糸Ｗ1 、Ｗ2 の一部の配置、構成が異なる。即ち、第１実施形態のＸ織物では平織経糸Ｖ1 は平織緯糸●の５、１１で内側に、かつパイル地緯糸○の１６と平織緯糸●の１７で内側に絡んでいるが、第２実施形態ではパイル地緯糸○の１６には絡まず、平織緯糸●の１７にのみ絡んでいる点で異なり、又Ｙ織物では第１実施形態の平織経糸Ｖ1 は同じく平織緯糸●の５、１７で内側に、かつ平織緯糸●の１１とパイル地緯糸○の１２で内側に絡んでいるが、第２実施形態ではパイル地緯糸○の１２には絡まず平織緯糸●の５、１１、１７に所定間隔で絡んでいる点で異なる。
【００２８】
又、第１実施形態のＸ織物ではパイル地経糸Ｗ1 が平織緯糸●の１４で内側を、パイル地緯糸○の１５で外側に絡んでいるが、第２実施形態では平織緯糸●の１４とパイル地緯糸○の１５で外側に絡んでいる点で異なり、第１実施形態のＹ織物ではパイル地経糸Ｗ1 がパイル地緯糸○の１３に絡み、平織緯糸●の１４には絡んでいないのに対し、第２実施形態ではパイル地緯糸○の１３と平織緯糸●の１４で外側に絡んでいる点で異なる。
【００２９】
以上の点でそれぞれ第２実施形態のＸ、Ｙ織物は異なるため、この実施形態ではパイル地経糸Ｗ2 、Ｗ2 が平織緯糸●に１１、１１の位置（（ｂ’）図の矢印Ｋ、Ｋ参照）で絡んでパイル部組織と平織部組織とが一体に織成される。従って、パイル部組織と平織部組織とが一体のパイル平織物が形成される点は第１実施形態と同じであるが、パイル地経糸Ｗ1 、Ｗ2 を平織緯糸●に所々で絡ませて一体化する点のみが異なるだけで、ほぼ同一のパイル平織物が得られる。
【００３０】
なお、この発明のパイル織物は、パイル平織物という名称としたが、これは上述したようにパイル組織層と平織組織層を所定の間隔で結節して一体の織物組織としたからであり、従来存在しなかった織物であるため上記のような名称を付したものである。又、上記所定の間隔で結節する位置は実施形態で示した地緯糸（平織緯糸とパイル地緯糸を含む）の位置、間隔に限定されず、さらに広く、あるいは狭く設定してもよく、それぞれ任意に設定できる。
【産業上の利用可能性】
【００３１】
この発明のパイル平織物は、パイル織物とガーゼ状の平織物の利点を最大限に高めた高品質で毛玉が生じ難く、毛が倒れないため品質の劣化がなく、裏面のガーゼ風平織物に吸湿性、表面はボリューム感、保温性を有する高級パイル織物であるため、季節が夏であっても他の季節であっても一年を通じて使用できる毛布等の寝具や防寒服素材等に広く利用され得る。
【図面の簡単な説明】
【００３２】
【図１】第１実施形態のパイル平織物の（ａ）パイル地緯糸と平織緯糸の機械的配置断面図、（ｂ）編成時の断面図、（ｃ）切開後の２枚のパイル平織物の断面図
【図２】同上パイル平織物の（ａ）パイル面部分拡大斜視図、（ｂ）部分断面模式図、（ｃ）加工処理状態の断面模式図
【図３】同上パイル平織物の裏面の部分拡大斜視図
【図４】立毛、分毛、起毛の説明図
【図５】第２実施形態のパイル平織物の、（ａ）パイル地緯糸と平織緯糸の機械的配置断面図、（ｂ）編成時の断面図、（ｃ）切開後の２枚のパイル平織物の断面図
【符号の説明】
【００３３】
１〜１８  地緯糸
Ｖ1 、Ｖ2   平織経糸
Ｗ1 、Ｗ2   パイル地経糸
Ｐ1 、Ｐ2   パイル経糸
Ｘ、Ｙ  織物
【図１】
2005232602.tif 000003
【図２】
2005232602.tif 000004
【図３】
2005232602.tif 000005
【図４】
2005232602.tif 000006
【図５】
2005232602.tif 000007